(57)【要約】【課題】画面内における被写体像から目を離すこと無く、撮影情報を確認させることができると共に、使用者の意思により見易い位置に撮影情報の表示を移動させることを可能にする。【解決手段】撮像画面に対応する画面３００内に被写体像を視認可能に表示する表示手段を有し、表示手段は、複数の焦点検出位置のうちの合焦となった位置を示す焦点検出位置表示部３０１〜３０７、および、合焦となった焦点検出位置での撮影に関連する撮影情報を示す情報表示部３１１〜３１７を、画面内において前記被写体像に重ねて表示可能にする撮像装置であって、撮影情報表示位置の移動操作が行われた場合、合焦となった焦点検出位置の近傍の規定位置に表示されている撮影情報を、表示位置移動操作された方向に移動（Ｍ１０１，Ｍ１０２）させる表示位置制御手段を有する。【選択図】図９
2009239651.tif 000002
【特許請求の範囲】
【請求項１】
撮像画面に対応する画面内に被写体像を視認可能に表示する表示手段を有し、前記表示手段は、複数の焦点検出位置のうちの合焦となった位置を示す焦点検出位置表示部、および、合焦となった前記焦点検出位置での撮影に関連する撮影情報を示す情報表示部を、前記画面内において前記被写体像に重ねて表示可能にする撮像装置であって、
撮影情報表示位置の移動操作が行われた場合、合焦となった前記焦点検出位置の近傍の規定位置に表示されている前記撮影情報を、前記表示位置の移動操作がなされた方向に移動させる表示位置制御手段を有することを特徴とする撮像装置。
【請求項２】
前記撮影情報表示位置の移動操作は、撮影準備動作開始用のスイッチ部材が投入された状態が保持されている時に可能であることを特徴とする請求項１に記載の撮像装置。
【請求項３】
前記撮影情報表示位置の移動操作は、複数の中のいずれかの前記焦点検出位置表示部にて合焦表示がなされてから規定の時間、可能であることを特徴とする請求項１に記載の撮像装置。
【請求項４】
前記撮影情報表示位置の移動操作を行うための移動操作部材を有し、
前記撮影情報表示位置の移動は、前記移動操作部材が操作されることにより行われることを特徴とする請求項１ないし３のいずれかに記載の撮像装置。
【請求項５】
前記表示手段は、光学ファインダ内の電子ビューファインダとすることを特徴とする請求項１ないし４のいずれかに記載の撮像装置。
【発明の詳細な説明】
【技術分野】
【０００１】
本発明は、撮像画面に対応する画面内に被写体像を視認可能に表示する表示手段を有する撮像装置に関する。
【背景技術】
【０００２】
従来、撮影情報の表示部として、一眼レフカメラの場合、使用者が撮影を行う際に被写体と画角確認に使用するファインダの内部にあるファインダ内情報表示部と、カメラ本体の外観部にある外部表示部の２種類が具備されている。
【０００３】
また、通常の光学ファインダでは、被写体からの光束をファインダ光路に導くために、撮像レンズの後段に配置されるメインミラー（光路分割ミラー）、ルーフミラーなどを介している。この時の光束範囲が撮影範囲を示すものであり、所定の視野率を含めた視野内範囲となっている。上記ファインダ内情報表示部は、視野内範囲の外側である視野外範囲にレイアウトされている。これは、通常ファインダ内情報表示部はバックライト等の光源より液晶表示などを投影して光学プリズムを介して光学表示させる構成のものが殆どであり、ファインダ内情報表示部専用の光束経路を確保する必要があるからである。しかし、この種のファインダ内情報表示部専用の光束経路を視野内の撮影範囲を遮ること無く配置できないために、視野外範囲にファインダ内情報表示部専用の光束経路を設けている。
【０００４】
上記のように視野外範囲にファインダ内情報表示部専用の光束経路を設けたくないために、視野内の被写体光束上に透過型の表示部を設けたものもある。この場合、透過型液晶や無機ＥＬ（ｅｌｅｃｔｏ  ｌｕｍｉｎｅｓｃｅｎｃｅ）などを使用することで、被写体光束に重ね合わせるように撮影情報を表示するようにしている。したがって、このような構成の場合、透過型の表示部とは別に撮影情報を表示するための液晶などを投影して光学表示させるための撮影情報表示部専用の光束経路を確保する必要がないという利点がある。
【０００５】
また、近年デジタルカメラが急速に普及しているが、デジタルカメラではビデオカメラと同じように、光学ファインダを用いること無くファインダ内に液晶モニターを用いた内部電子ビューファインダを具備している。あるいは、外部液晶モニターをファインダとして用いる外部電子ビューファインダを具備している。
【０００６】
電子ビューファインダを用いたものは、撮像レンズからの被写体光束を撮像素子で受光し、読み込んだ画像を画像処理して該電子ビューファインダ上に映し出すようにしている。このため、撮像素子で撮像している画像を表示できるとともに、カメラの撮影情報表示も電子ビューファインダ上に重ねて表示できる。よって、電子ビューファインダとは別に、撮影情報を表示するための液晶などを投影して光学表示させるための撮影情報表示部専用の光束経路を確保する必要がないという利点がある。
【０００７】
また、撮影情報は、実際に撮影を行うときもしくは撮影を行ったときに必要なものであり、特に被写体の焦点検出（ＡＦ）、露出検出（ＡＥ）後に撮影情報（撮影条件）を確認するのは重要な作業である。光学ファインダであっても、電子ビューファインダであっても、ファインダで画角（構図）を決めて、被写体の焦点検出（ＡＦ）により焦点検出位置が決まる。そして、露出検出（ＡＥ）により撮影露出条件が決まった後に、使用者は撮影条件を確認するのが通常の撮影方法である。この時、焦点検出位置が複数あるタイプのカメラでは、カメラが自動的に複数の中より焦点検出位置を決めるものや、使用者が任意で焦点検出位置を決めるものなどがある。
【０００８】
従来、電子ビューファインダに撮影情報を重ねて表示する技術が開示（特許文献１参照）されているのは既に説明した通りである。つまり、デジタルスチルカメラに具備された電子ビューファインダの所定位置に、キャラクタジェネレータの出力（例えば、日付や時間、シャッタ秒時や絞り値、圧縮モード、撮影枚数などの撮影情報）を合成して表示できるようにしたものである。このように構成することにより液晶表示部等のパネルは不要となり、しかもキャラクタジェネレータの出力を表示できる。したがって、従来不十分であった情報表示として、アルファベット、漢字等の複雑な表示もできるようになり、各種情報の表示を簡単な操作で行うことができるようになっている。
【特許文献１】特許第３３２１２３７号公報
【発明の開示】
【発明が解決しようとする課題】
【０００９】
上記従来技術は、電子ビューファインダに撮影情報を重ねて表示するものとして、例えば、日付や時間、シャッタ秒時や絞り値、圧縮モード、撮影枚数などの撮影情報を電子ビューファインダの所定の位置に合成して表示可能にしたものである。しかしながら、以下のような課題を有していた。
【００１０】
例えば複数の焦点検出位置で被写体の焦点状態を自動的に検出する場合、使用者は通常、被写体の焦点状態を検出した焦点検出位置を視認する。このとき、焦点検出位置と従来技術のように電子ビューファインダの所定の位置に合成して表示された撮影情報の表示位置が離れていたとする。この場合、使用者は撮影情報を見るために目を大きく移動させる必要があり、撮影を快適に行えず、被写体画角位置設定（フレーミング）動作が不安定になるなどの問題があった。
【００１１】
また、上記従来技術では、電子ビューファインダに撮影情報を重ねて表示するものとして、電子ビューファインダの所定の位置に合成して表示できるようにしている。しかしながら、撮影を行う使用者の好みや被写体像の位置、背景色などにより、予め決められた所定の位置のみに撮影情報を表示可能とする構成では、撮影情報を注視し難くなるなどの問題を有していた。
【００１２】
（発明の名称）
本発明の目的は、画面内における被写体像から目を離すこと無く、撮影情報を確認させることができると共に、使用者の意思により見易い位置に撮影情報の表示を移動させることのできる撮像装置を提供しようとするものである。
【課題を解決するための手段】
【００１３】
上記目的を達成するために、本発明は、撮像画面に対応する画面内に被写体像を視認可能に表示する表示手段を有し、前記表示手段が、複数の焦点検出位置のうちの合焦となった位置を示す焦点検出位置表示部、および、合焦となった前記焦点検出位置での撮影に関連する撮影情報を示す情報表示部を、前記画面内において前記被写体像に重ねて表示可能にする撮像装置であって、撮影情報表示位置の移動操作が行われた場合、合焦となった前記焦点検出位置の近傍の規定位置に表示されている前記撮影情報を、前記表示位置の移動操作がなされた方向に移動させる表示位置制御手段を有する撮像装置とするものである。
【発明の効果】
【００１４】
以上説明したように、本発明によれば、画面内における被写体像から目を離すこと無く、撮影情報を確認させることができると共に、使用者の意思により見易い位置に撮影情報の表示を移動させることのできる撮像装置を提供できるものである。
【発明を実施するための最良の形態】
【００１５】
本発明を実施するための最良の形態は、以下の実施例１ないし４に示す通りである。
【実施例１】
【００１６】
図１は本発明の実施例１に係る撮影情報の表示機能を有する撮像装置である一眼レフカメラの要部を示す光学配置図である。
【００１７】
図１において、１は撮像レンズであり、図１では便宜上２枚のレンズ１ａ，１ｂで示したが、実際は多数のレンズから構成されている。２はメインミラーであり、観察状態と撮影状態に応じて撮影光路へ斜設され、あるいは退去される。３はメインミラー２を透過した光束をカメラ本体の下方へ向けて反射するサブミラー、４はシャッタである。５はＣＣＤやＭＯＳ型等の撮像素子である。
【００１８】
６は焦点検出装置であり、結像面近傍に配置されたフィールドレンズ６ａ、反射ミラー６ｂ及び６ｃ、絞り６ｄ、２次結像レンズ６ｅ、複数のＣＣＤから成るラインセンサ６ｆ等から構成され、周知の位相差方式を採用している。この焦点検出装置６は、ファインダ観察画面内に表示される複数の焦点検出位置に対応する焦点検出部３０１〜３０７（図７参照）でデフォーカス情報（焦点情報）を得ることができる。この焦点検出部３０１〜３０７は後述のピント板７の後段に配置された情報表示部２２に形成されており、情報表示部２２には透過型液晶や無機ＥＬが用いられ、表示駆動部２５により駆動されてピント板７上の被写体像に重ねて撮影情報の表示が行われる。２９は焦点検出位置選択スイッチであり、詳しくは後述の図２および図３にて説明する第１機能ボタン４２、第１操作部材４３から構成される。この焦点検出位置選択スイッチ２９を操作することで、撮像画面内における複数の焦点検出位置に対応する複数の焦点検出部３０１〜３０７のうちのどの焦点検出部を使用するかを選択することができる。
【００１９】
７は撮像レンズ１の予定結像面に配置されたピント板、８はファインダ光路変更用のペンタプリズムである。９，１０は観察画面内の被写体の明るさを測定するための結像レンズと測光センサであり、結像レンズ９はペンタプリズム８内の反射光路を介してピント板７と測光センサ１０を共役に関係付けられている。１１はペンタプリズム８の射出面後方に配置される光分割器１１ａを備えた接眼レンズであり、撮影者の眼１５によるピント板７および情報表示部２２の観察に使用される。光分割器１１ａは、例えば可視光を透過し、赤外光及び赤外寄りの可視光（赤色光）を反射するダイクロイックミラーより成っている。
【００２０】
１４は受光レンズ１２を介して所定の位置にある撮影者の眼１５の瞳孔近傍と共役になるように配置されている光電素子列を２次元的に配したＣＣＤである。１３ａ〜１３ｄ，１３ｅ〜１３ｈは各々撮影者の眼１５の照明光源であるところの８個のＩＲＥＤであり、接眼レンズ１１の回りに配置されている。
【００２１】
３１は撮像レンズ１内に設けられた絞り、３２は後述する絞り駆動部を含む絞り駆動装置、３３はレンズ駆動用モータ、３４は駆動ギヤ等から成るレンズ駆動部材である。３５はフォトカプラであり、レンズ駆動部材３４に連動するパルス板３６の回転を検知してレンズ焦点調節回路３７に伝えている。レンズ焦点調節回路３７は、この情報とカメラ本体側からのレンズ駆動量の情報に基づいてレンズ駆動用モータ３３を所定量駆動させ、撮像レンズ１内の焦点調節用のレンズ１ａを合焦位置に移動させるようになっている。３８は公知のカメラ本体と交換式の撮像レンズ１とのインターフェースとなるマウント接点である。
【００２２】
図２及び図３は本発明の実施例１に係る、撮影情報の表示機能を有する一眼レフカメラの要部を示す外観図であり、図２は一眼レフカメラの上面図、図３は一眼レフカメラの背面図である。
【００２３】
これらの図において、１は撮像レンズである。１１は接眼レンズであり、撮像レンズ１からの被写体像を視認することができる。４９はモードダイヤルであり、撮影モード、再生モード、消去モード、通信接続モード等の各機能モードを切り換え設定することができる。５０はシャッタボタンであり、撮影動作を開始するためのスイッチである。シャッタボタン５０の操作により、後述するＡＥ（自動露出）処理、ＡＦ（オートフォーカス）処理等の動作開始や露光動作を指示する。４１はＴＦＴ  ＬＣＤ等から成る画像表示部であり、カメラ本体の背面側に具備されており、後述する画像データや撮影情報が表示される。
【００２４】
４２は図７に示す複数の焦点検出部３０１〜３０７のうち、どの焦点検出部で焦点検出を行うかを選択するための第１機能ボタンである。この第１機能ボタン４２をＯＮした後に、第１操作部材４３を操作することにより、所望の焦点検出部を手動選択することができる。上記したように、第１機能ボタン４２、第１操作部材４３が、図１に示した焦点検出位置選択スイッチ２９に相当する。第１操作部材４３は図３の矢印方向に押すことが可能であり、押すことによりスイッチが入り、設定された動作を行うようにするものである。例えば、第１機能ボタン４２がＯＮされた後に第１操作部材４３を操作、例えば左方向の矢印を押せば、複数ある焦点検出部３０１〜３０７（図７参照）のうち、焦点検出部３０１方向の焦点検出部の選択が可能である。また、右方向の矢印を押せば、焦点検出部３０５方向の焦点検出部の選択が可能であり、上方向の矢印を押せば、焦点検出部３０６方向の焦点検出部の選択が可能である。また、下方向の矢印を押せば、焦点検出部３０７方向の焦点検出部の選択が可能である。
【００２５】
また、図９等で詳細は後述するが、第１操作部材４３を例えば上方向の矢印を押せば、撮影情報を表示する情報表示領域３１１〜３１７を撮像画面に対応するファインダ観察画面３００内の上方に移動させることができる。また、右斜め下方に押せば、情報表示領域３１１〜３１７をファインダ観察画面３００内の斜め下方に移動させることができる。
【００２６】
第２操作部材４４は円盤状のスイッチであり、回転させることでスイッチが入り、設定された動作を行うようにするものである。例えばモードダイヤル４９で撮影モードを設定後、シャッタスピード優先モードであれば、第２操作部材４４を回転させることでシャッタスピードを変更することができる。また、レンズ絞り優先モードであれば、第２操作部材４４を回転させることで撮像レンズの絞り値を変更することができるというものである。
【００２７】
４５は第２機能ボタンであり、各種機能のＯＮ／ＯＦＦを行うものである。例えば画像表示部４１の画像表示が行われている時に、第２機能ボタン４５を押すことで画像表示部４１の表示を消すことができ、画像表示部４１の表示が消えているときに第２機能ボタン４５を押すことで画像表示部４１の表示を点灯させることができる。また、第２機能ボタン４５は図７に示す複数の焦点検出部３０１〜３０７のうち、焦点検出を行い、合焦した後に第２機能ボタン４５をＯＮすることで撮影情報を表示する情報表示領域３１１〜３１７を移動させるモードに切り換える情報表示移動用スイッチを兼ねる。この第２機能ボタン４５をＯＮした後に、第１操作部材４３を操作することにより、撮影情報を表示する情報表示領域３１１〜３１７を移動させることができる。例えば、焦点検出部３０１〜３０７が合焦後に第２機能ボタン４５をＯＮし、その後に第１操作部材４３を操作する。これにより、図９等で詳細は後述するが、第１操作部材４３を例えば上方向の矢印を押せば、撮影情報を表示する情報表示領域３１１〜３１７を撮像画面に対応するファインダ観察画面３００内の上方に移動させることができる。また、右斜め下方に押せば、情報表示領域３１１〜３１７をファインダ観察画面３００内の斜め下方に移動させることができる。Ｈは各種操作を行う手である。
【００２８】
７１はカメラ本体の上面側に具備された外部情報表示部であり、ＬＣＤ等で表示を行うものである。その外部情報表示部７１に表示されるものとして、シングルショット／連写撮影表示、セルフタイマ表示、圧縮率表示、記録画素数表示、記録枚数表示、残撮影可能枚数表示、ＩＳＯ感度表示、シャッタスピード表示、絞り値表示、露出補正表示が含まれる。さらには、フラッシュ表示、赤目緩和表示、マクロ撮影表示、ブザー設定表示、時計用電池残量表示、電池残量表示、エラー表示、複数桁の数字による情報表示、エラー表示、警告表示が含まれる。さらには、記録媒体８０（図４参照）の着脱状態表示、撮像レンズ１の着脱状態表示、通信Ｉ／Ｆ動作表示、日付・時刻表示、外部コンピュータとの接続状態を示す表示等が含まれる。
【００２９】
図４は、本発明の実施例１に係わる一眼レフカメラの電気的構成を示す図である。
【００３０】
図４において、１００はカメラ本体であり、１は交換式の撮像レンズである。５は光学像を電気信号に変換する撮像素子、１１１は撮像素子５のアナログ信号出力をディジタル信号に変換するＡ／Ｄ変換器である。１１２は画像処理回路であり、Ａ／Ｄ変換器１１１からのデータ或いは後述のメモリ制御回路１１３からのデータに対して所定の画素補間処理や色変換処理を行う。１１３はメモリ制御回路であり、Ａ／Ｄ変換器１１１、画像処理回路１１２、および、後述の、画像表示メモリ１１４、Ｄ／Ａ変換器１１５、メモリ１１７、圧縮伸長回路１１８を制御する。
【００３１】
Ａ／Ｄ変換器１１１のデータが画像処理回路１１２、メモリ制御回路１１３を介して、或いはＡ／Ｄ変換器１１１のデータが画像処理回路１１２を経ることなく、メモリ制御回路１１３を介して、後述の画像表示メモリ１１４或いはメモリ１１７に書き込まれる。１１４は画像表示メモリ、１１５はＤ／Ａ変換器である。１１６はＴＦＴ  ＬＣＤ等から成る画像表示部であり、図３の画像表示部４１に対応するもので、該画像表示部１１６は外部液晶モニターをファインダとして用いる外部電子ビューファインダ用として用いられる。
【００３２】
画像表示メモリ１１４には画像データから表示用の画像データが書き込まれて、後述する記録媒体に画像データを記録した後にメモリ制御回路１１３とＤ／Ａ変換器１１５を介して画像表示部１１６により表示される。また、後述するライブビューモードが選択されている場合は、画像表示メモリ１１４に一旦蓄えられた画像データを順次Ｄ／Ａ変換器１１５を介して画像表示部１１６に連続表示させることにより、動画像を得られるようにしている。また、画像表示部１１６は、システム制御回路１２０の指示により任意に表示をＯＮ／ＯＦＦすることが可能であり、表示をＯＦＦにした場合にはカメラ本体１００の電力消費を大幅に低減することができる。
【００３３】
１１７は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ１１７に対して行うことが可能となる。また、メモリ１１７はシステム制御回路１２０の作業領域としても使用することが可能である。１１８は適応離散コサイン変換（ＡＤＣＴ）等により画像データを圧縮伸長する圧縮伸長回路であり、メモリ１１７に格納された画像を読み込んで圧縮処理或いは伸長処理を行い、処理を終えたデータをメモリ１１７に書き込む。
【００３４】
１３６はフラッシュであり、ＡＦ補助光の投光機能、フラッシュ調光機能も有する。測光制御部１３３、測距制御部１３４はＴＴＬ方式を用いて制御されており、撮像した画像データを画像処理回路１１２によって演算した演算結果に基づき、システム制御回路１２０が測光制御部１３３、測距制御部１３４に対して制御を行う。１２０はカメラ本体１００全体を制御するシステム制御回路、１２１はシステム制御回路１２０の動作用の定数、変数、プログラム等を記憶するメモリである。
【００３５】
１２２は、システム制御回路１２０でのプログラムの実行に応じて、文字、画像、音声等を用いて動作状態やメッセージ等の情報表示を制御する表示制御回路である。この表示制御回路１２２はカメラ本体１００の操作部近辺の視認し易い位置に設置される単数或いは複数個所の情報表示部を制御する。例えばＬＣＤやＬＥＤ、発音素子等の組み合わせにより構成されている。また、この表示制御回路１２２には、図１に示した表示駆動部２５が具備されている。
【００３６】
表示制御回路１２２からの表示内容のうち、その一部の機能が図２に示した外部情報表示部７１に備えられている。外部情報表示部７１はＬＣＤ等で表示を行うものであり、ここに表示される内容は既に述べた通りである。
【００３７】
また、表示制御回路１２２からの表示内容のうち、その一部の機能が光学ファインダ１１内の情報表示部２２に備えられている。情報表示部２２は透過型液晶、無機ＥＬ等の透過型表示装置で表示を行うものであり、表示駆動部２５により駆動される。情報表示部２２に表示されるものとしては、合焦表示、撮影準備完了表示、手振れ警告表示、フラッシュ充電表示、フラッシュ充電完了表示が、ＩＳＯ感度表示、シャッタスピード表示、絞り値表示が含まれる。さらには、露出補正表示、記録媒体書き込み動作表示、エラー表示、警告表示が含まれる。
【００３８】
４８，４９，５０，５１，５２，５３，５４，５５，５７は、システム制御回路１２０の各種の動作指示を入力するための操作部材であり、これらの操作部材の具体的な説明を行う。
【００３９】
４８はメインスイッチであり、電源のＯＮ／ＯＦＦを設定することができる。４９は図２に示したモードダイヤルであり、撮影モード、再生モード、消去モード、通信接続モード等の各機能モードを切り換え設定することができる。５０は同じく図２に示したシャッタボタンである。５１はシャッタボタン５０の操作途中でＯＮとなるスイッチＳＷ１であり、ＡＥ（自動露出）処理、ＡＦ（オートフォーカス）処理、ＡＷＢ（オートホワイトバランス）処理、ＥＦ（フラッシュプリ発光）処理等の撮影準備動作の開始を指示する。
【００４０】
５２はシャッタボタン５０の操作完了でＯＮとなるスイッチＳＷ２であり、撮像素子５から読み出した信号をＡ／Ｄ変換器１１１、メモリ制御回路１１３を介してメモリ１１７に画像データとして書き込む露光処理を指示する。さらには、画像処理回路１１２やメモリ制御回路１１３での演算を用いた現像処理を指示する。さらには、メモリ１１７から画像データを読み出し、圧縮伸長回路１１８で圧縮を行い、記録媒体８０に画像データを書き込む記録処理という一連の処理の動作開始を指示する。この時、システム制御回路１２０からシャッタ制御部１３０にシャッタ動作を指示する。つまり、シャッタ４（図１参照）の先幕（露光開始用シャッタ）１３１の走行による撮像素子５への露光開始と、所定タイマ後（露光時間）、後幕（露光終了用シャッタ）１３２の走行による撮像素子５への露光終了を指示する。
【００４１】
５３は画像表示ＯＮ／ＯＦＦスイッチであり、画像表示部１１６（４１）のＯＮ／ＯＦＦを設定することができる。この機能により、ＴＦＴ  ＬＣＤ等から成る画像表示部１１６への電流供給を遮断することにより、省電力を図ることが可能となる。５４はクイックレビューＯＮ／ＯＦＦスイッチであり、撮影直後に撮影した画像データを自動再生するクイックレビュー機能を設定する。５５はライブビューＯＮ／ＯＦＦスイッチで、撮影画像データを光学ファインダ内のピント板７もしくは外部の画像表示部１１６に連続表示させることにより、画像データをファインダ画像のようにするライブビュー機能を設定する。
【００４２】
５６は操作部５７の機能を切り換えるための機能切換制御部であり、通常撮影時には操作部５７の操作により撮影を行うための各種設定に用いられる。例えば複数の焦点検出部３０１〜３０７のうち、どの焦点検出部で焦点検出を行うかを選択するために、第１機能ボタン４２をＯＮした後に、第１操作部材４３を操作することにより、所望の焦点検出部を手動選択することができる。上記したように、第１機能ボタン４２、第１操作部材４３が、図１に示した焦点検出位置選択スイッチ２９及び図４に示した操作部５７に相当する。そして、機能切換制御部５６により所定の条件となった場合には、画像表示部１１６に表示された撮影情報を操作部５７の操作により移動させることができるようになる。
【００４３】
なお、所定の条件とは、後述する、図５のステップＳ１１０にてスイッチＳＷ１のＯＮ保持時、図１０の撮影情報表示移動タイマ作動時、図１１の情報表示移動用スイッチが操作された場合を意味する。この所定条件であるスイッチＳＷ１のＯＮ保持時の状態となった場合にステップＳ１１１に移行し、機能切換制御部５６の制御と操作部５７の操作により画像表示部１１６に表示された撮影情報を移動させることができるようになる。
【００４４】
６０は電源制御部であり、電池検出回路、ＤＣ−ＤＣコンバータ、通電するブロックを切り換えるスイッチ回路等により構成されている。そして、電池の装着の有無、電池の種類、電池残量の検出を行い、検出結果及びシステム制御回路１２０の指示に基づいてＤＣ−ＤＣコンバータを制御し、必要な電圧を必要な期間、記録媒体を含む各部へ供給する。６１は外部電源のインターフェースであり、９０はアルカリ電池やリチウム電池等の一次電池やＮｉＣｄ電池やＮｉＭＨ電池、Ｌｉ電池等の二次電池、ＡＣアダプター等からなる電源である。
【００４５】
１１９はメモリカードやハードディスク等を接続するための記録媒体インターフェースである。記録媒体インターフェース１１９は、単数或いは複数、いずれの系統数を備える構成としても構わない。また、異なる規格のインターフェースを組み合わせて備える構成としても構わない。また、インターフェースとしては、ＰＣＭＣＩＡカードやＣＦ（コンパクトフラッシュ（登録商標））カード等の規格に準拠したものを用いて構成して構わない。さらに、インターフェース１１９をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カードを接続したとする。あるいは、ＳＣＳＩカード、ＰＨＳ等の通信カード等の各種通信カードを接続したとする。このことにより、他のコンピュータやプリンタ等の周辺機器との間で画像データや画像データに付属した管理情報を転送し合うことができる。
【００４６】
１６は光学ファインダであり、光学ファインダ１６のみを用いて撮影を行う被写体像の確認を行うことが可能である。また、光学ファインダ１６内には、表示制御回路１２２の一部の機能を表示する情報表示部２２が備えられており、該情報表示部２２には透過型表示装置が設置されている。これにより、光学ファインダ１６で確認する被写体像に重ね合わせるように表示できるように、例えば透過型液晶表示や無機ＥＬ表示などが設置されている。撮影情報として例えば、合焦表示、警告表示、フラッシュ充電表示、シャッタスピード表示、絞り値表示、ＩＳＯ感度表示、ホワイトバランス表示、露出補正表示などの表示が可能となっている。
【００４７】
１１０は、カメラ本体１００を撮像レンズ１と接続するためのインターフェースであり、不図示のバヨネットマウントなどを用いた周知のインターフェースである。
【００４８】
１２３はカメラ本体１００に撮像レンズ１が装着されているか否かを検知するレンズ着脱検知部である。カメラ本体１００から撮像レンズ１を着脱する場合の操作は、撮像レンズ１を光軸中心に対して円周方向に回転させることにより、カメラ本体１００及び該撮像レンズ１の不図示のバヨネットマウントの係合状態を変化させることで達成している。この時、撮像レンズ１の光軸中心に対する円周方向への回転移動をレンズ着脱検知部１２３で検知することにより、撮像レンズ１の着脱検知を達成している。
【００４９】
８０はメモリカードやハードディスク等の記録媒体である。記録媒体８０は、カメラ本体１００の記録媒体インターフェース１１９と接続される。
【００５０】
図５は本発明の実施例１に係わる一眼レフカメラのシステム制御回路１２０における主要部分の動作を示すフローチャートである。
【００５１】
図５のステップＳ１０１では、システム制御回路１２０は、電池交換等の電源投入によりフラグや制御変数等を初期化する。次のステップＳ１０２では、スイッチＳＷ１（５１）がＯＮされたか否かを判定し、ＯＮされていなければＯＮするまでこのステップで待機する。その後、スイッチＳＷ１がＯＮするとステップＳ１０３へ進み、複数ある焦点検出位置（撮影画面内の焦点検出部３０１〜３０７の位置を意味する）のうち、焦点検出位置を自動選択するか否かを判定する。判定の結果、自動選択でなければ焦点検出位置の手動選択となるステップＳ１１６へ進む。
【００５２】
一方、焦点検出位置を自動選択する場合は、システム制御回路１２０は、ステップＳ１０３からステップＳ１０４へ進み、複数の焦点検出位置それぞれで測距及び測光の動作を開始する。そして、周知の技術である近点優先等による自動選択で焦点検出位置を選択する。次のステップＳ１０５では、焦点検出位置を自動で選択できたか否かを判定し、自動選択できなければ自動選択できるまでこのステップで待機する。その後、焦点検出位置を自動選択できた場合はステップＳ１０６へ進む。
【００５３】
次のステップＳ１０６では、システム制御回路１２０は、自動選択した焦点検出位置で撮像レンズ１内のフォーカスレンズ１ａの焦点を被写体に合わせる。さらには、測光処理を行って絞り値及びシャッタ時間を決定する。測光処理において、必要であればフラッシュの設定も行う。この焦点検出（測距）・測光検出処理は周知の技術により制御されているものとする。
【００５４】
その後、焦点検出動作が完了したならば、システム制御回路１２０は、ステップＳ１０６からステップＳ１０７へ進み、選択された焦点検出位置にて焦点が合った状態（合焦状態）になったことを示す合焦表示を、選択された焦点検出位置の焦点検出部にさせる。換言すれば、合焦している焦点検出部を表示させる。そして、次のステップＳ１０８にて、合焦表示を行っている情報表示部２２の焦点検出位置（焦点検出部）の近傍の規定位置に、ステップＳ１０６で決定した絞り値及びシャッタ時間などの撮影情報を表示する。
【００５５】
次のステップＳ１０９では、システム制御回路１２０は、スイッチＳＷ２（５２）がＯＮされたか否かを判定し、ＯＮされていればステップＳ１１５へ進み、図６にて詳述する露光動作を開始する。スイッチＳＷ２（５２）がＯＮされていなければステップＳ１０９からステップＳ１１０へ進み、スイッチＳＷ１（５１）がＯＮのままであるか否かを判定する。スイッチＳＷ１がＯＦＦされていればステップＳ１０２に戻り、以下同様の動作を繰り返す。
【００５６】
上記ステップＳ１１０にてスイッチＳＷ１がＯＮされたままである場合は、システム制御回路１２０は、ステップＳ１１１へ進み、焦点検出位置選択スイッチ２９の機能切り換えを行う。そして、次のステップＳ１１２にて、焦点検出位置選択スイッチ２９がＯＮされているか否かを判定し、ＯＮされていなければステップＳ１１０へ進む。一方、焦点検出位置選択スイッチ２９がＯＮされていればステップＳ１１３へ進み、情報表示部２２の撮影情報表示を移動させるようにする。
【００５７】
ここで、通常の焦点検出位置選択スイッチ２９は、第１機能ボタン４２をＯＮすることで焦点検出位置の手動選択モードに入り、第１操作部材４３の操作により複数ある焦点検出位置から手動で選択するように用いられる。しかし、合焦後、スイッチＳＷ１がＯＮされたままである場合は、その機能を切り換えて第１機能ボタン４２をＯＮすることで撮影情報表示を移動させるモードに入る。そして、第１操作部材４３の操作により、画像表示部１１６（４１）及び情報表示部２２に表示された撮影情報を移動させることができるようになる。また、合焦後スイッチＳＷ１がＯＮされたままの状態で、直接第１操作部材４３の操作により、画像表示部１１６（４１）及び情報表示部２２に表示された撮影情報を移動させることができるようにしてもよい。
【００５８】
次のステップＳ１１４では、システム制御回路１２０は、焦点検出位置選択スイッチ２９がＯＦＦされたか否かを判定し、ＯＦＦされていればステップＳ１０９に戻る。また、焦点検出位置選択スイッチ２９がＯＮのままであればステップＳ１１２，Ｓ１１３にて、撮影情報表示の移動を継続する。
【００５９】
上記ステップＳ１０３にて複数ある焦点検出位置の自動選択が選択されていないと判定した場合は、システム制御回路１２０は、ステップＳ１１６およびステップＳ１１７へ進み、撮影者により任意の焦点検出位置（焦点検出部）が選択されるのを待機する。焦点検出部の手動選択については、既に説明した通りであるので、ここではその詳細は省略する。その後、ステップＳ１１７にて任意の焦点検出位置の手動選択の完了を判定するとステップＳ１１８へ進み、選択された焦点検出位置で焦点検出（測距）及び測光の動作を開始する。そして、撮像レンズ１の焦点を被写体に合わせ、測光処理を行って絞り値及びシャッタ時間を決定する。測光処理に於いて、必要であればフラッシュの設定も行う。その後はステップＳ１１９へ進み、焦点検出（測距）動作が完了したか否かを判定し、完了していなければステップＳ１１８に戻る。焦点検出動作が完了を確認したならばステップＳ１０７へ進み、上記と同様、選択された焦点検出位置が合焦状態になったことを示す合焦表示を、選択された焦点検出位置にさせる。
【００６０】
以降は、上記と同様の動作を行う。
【００６１】
次に、図６のフローチャートを用いて、図５のステップＳ１１５にて実行される露光動作開始の動作を説明する。
【００６２】
図６のステップＳ１２０より露光動作を開始し、まずステップＳ１２１では、システム制御回路１２０は、ステップＳ１０６で決定された絞り値およびシャッタ時間に従って、タイマを開始させる。そして、次のステップＳ１２２にて、シャッタ制御回路１３０により先幕１３１を走行させることによりシャッタ４を開状態にする。これにより、撮像素子５への露光動作が開始される。
【００６３】
次のステップＳ１２３では、システム制御回路１２０は、上記タイマが設定時間を計時したか否かを判定し、計時し終えていない場合はこのステップで待機する。その後、上記タイマの計時が設定時間に達したことを判定するとステップＳ１２４へ進み、ここではシャッタ制御回路１３０により後幕１３２を走行させ、シャッタ４を閉状態にし、次のステップＳ１２５にて、撮像素子５への露光動作を終了する。
【００６４】
次のステップＳ１２６では、上記の露光動作によって得られた画像データの画像処理を行い、続くステップＳ１２７にて、その像を所定の圧縮率で圧縮する。そして、次のステップＳ１２８にて、記録メディアである記録媒体８０への記録を行う。その後は図５のステップＳ１０２へ戻る。
【００６５】
ここで、上記の画像データの処理についてもう少し詳しく説明する。撮像レンズ１を通して得られた物体像を、撮像素子５、Ａ／Ｄ変換器１１１、画像処理回路１１２、メモリ制御回路１１３を介して、或いはＡ／Ｄ変換器１１１からメモリ制御回路１１３のみを介してメモリ１１７に蓄積する。そして、メモリ１１７に蓄積した撮影画像データを読み出して、メモリ制御回路１１３、そして必要に応じて画像処理回路１１２を用いて各種画像処理を行う。また、圧縮伸長回路１１８を用いて設定したモードに応じた画像圧縮処理を行う圧縮処理を行う。その後、記録媒体インターフェース１１９を介してメモリカードやコンパクトフラッシュカード等の記録媒体８０へ画像データの書き込みを行う記録処理を実行する。
【００６６】
図７、図８および図９は、撮像画面に対応するファインダ観察画面内での表示の概略を示す図である。詳しくは、図７はファインダ観察画面内における、焦点検出位置に対応する焦点検出部３０１〜３０７と撮影情報を表示する情報表示領域３１１〜３１７を示している。また、図８（ａ），（ｂ）は表示の仕方を、図９は撮影情報表示の移動の仕方を、それぞれ説明するための図である。
【００６７】
図７において、ファインダ観察画面３００内には、焦点検出装置６により焦点検出を行う複数の焦点検出位置に対応する焦点検出部３０１〜３０７が観察できるように形成されている。３１１〜３１７は焦点検出部３０１〜３０７それぞれに対応した情報表示領域を示している。焦点検出部３０１〜３０７は、光学ファインダ１６内の情報表示部２２に形成された透過型液晶や無機ＥＬなどにより表示されるようになっている。詳しくは、図４の表示制御回路１２２に含まれる表示駆動部２５が各種撮影表示の駆動を行う。そして、撮像レンズ１の予定結像面に配置されたピント板７に形成される被写体像と合成して、ペンタプリズム８、接眼レンズ１１を通して、撮影者の眼１５に、ピント板７および情報表示部２２の観察を行えるようにしている。
【００６８】
デフォーカス情報の検出（焦点検出）は、焦点検出装置６で周知の位相差方式により複数の焦点検出を行う領域である焦点検出位置に対応する焦点検出部３０１〜３０７それぞれにて行われる。そして、その焦点検出結果に応じて、主被写体に焦点が合う状態（合焦状態）となった焦点検出位置に対応する焦点検出部を点灯表示するように表示駆動部２５を駆動する。これにより、情報表示部２２に焦点検出部の表示が行われる。
【００６９】
図８（ａ）では、ファインダ観察画面３００内の左側の焦点検出部３０１が合焦状態となり、点灯表示を行っている状態を示している。焦点検出部３０１〜３０７それぞれの近傍には、それぞれに対応した規定の位置としての、撮影情報を表示する情報表示領域３１１〜３１７が形成されている。この情報表示領域３１１〜３１７には、撮影を行う際の撮影情報（撮影条件）、例えばシャッタ速度、レンズ絞り値、ＩＳＯ感度、露出補正値などが表示される。
【００７０】
図８（ｂ）では、ファインダ観察画面３００内の左側の焦点検出部３０１が合焦状態となり、スーパーインポーズ表示を行うと共に、情報表示領域３１１に撮影情報表示を行っている状態を示している。情報表示領域３１１には、シャッタ速度情報（１／１２５）３６１、レンズ絞り値情報（Ｆ５．６）３６２が表示された例を示している。
【００７１】
図９において、合焦状態の焦点検出部３０１をスーパーインポーズ表示すると共に、情報表示領域３１１に撮影情報の表示を行っているのは、図８と同様である。この状態時に、スイッチＳＷ１がＯＮされた状態ならば、システム制御回路１２０は、焦点検出位置選択スイッチ２９の機能切り換えを行う（図５のステップＳ１１０→Ｓ１１１）。そして、焦点検出位置選択スイッチ２９がＯＮされたならば（ステップＳ１１２のＹＥＳ）、情報表示領域３１１の表示位置を移動させる（ステップＳ１１３）。
【００７２】
図９では、第１操作部材４３が上側に押されているので、システム制御回路１２０は撮影情報の表示位置を上側である矢印Ｍ１０１の方向に移動させることになる。また、第１操作部材４３が右斜め下側に押された場合には、撮影情報の表示位置を右斜め下方である矢印Ｍ１０２の方向に移動させることになる。
【００７３】
従って、ファインダ観察画面３００内には、図７に示した規定位置での情報表示領域３１１〜３１７以外に、図９に示したような上方や斜め下方等の位置に情報表示領域が移動可能となっている。前記表示位置の移動操作が行われたら、その方向に情報表示領域が移動することになる。なお、図９では、ファインダ観察画面３００を例に挙げて前記表示位置の移動操作が行われたら、その方向に情報表示領域が移動する説明を行った。しかし、この動作はファインダ観察画面３００だけではなく、画像表示部１１６（４１）に表示される情報表示領域も表示位置の移動操作が行われたら移動するようにしてもよい。
【００７４】
上記の実施例１によれば、撮像画面に対応する画面内に被写体像を視認可能に表示するピント板７および情報表示部２２を有する。そして、この情報表示部２２は、複数の焦点検出位置のうちの合焦となった位置を示す焦点検出部３０１〜３０７を、被写体像に重ねて表示可能にしている。さらには、合焦となった前記焦点検出位置での撮影に関連する撮影情報を示す情報表示領域３１１〜３１７を、被写体像に重ねて表示可能にしている。
【００７５】
上記構成において、撮影情報表示位置の移動操作が行われたとする。すると、合焦となった前記焦点検出位置の近傍の規定位置の前記情報表示領域３１１〜３１７に表示されている撮影情報を、表示位置移動操作された方向に移動させるようにしている。詳しくは、撮影情報表示位置の移動操作を行うための第１機能ボタン４２、第１操作部材４３を有する。これら操作部材による撮影情報表示位置の移動操作は、撮影準備動作開始用のスイッチ部材であるスイッチＳＷ１が投入（ＯＮ）された状態が保持されている時に行えるようにしている。
【００７６】
カメラの使用者は通常、被写体の焦点を検出した焦点検出位置（合焦位置）を視認する。したがって、どの焦点検出部が合焦したことを示す合焦表示を行うとともに、合焦表示位置の近傍の規定位置に撮影情報を表示するようにしたので、被写体像から目を離すこと無く、撮影情報を確認させることができる。
【００７７】
また、情報表示部２２を、透過型液晶などとすることで、被写体像の表示範囲以外に情報表示のために従来のバックライトを必要とする液晶表示装置を設ける必要がなくなり、メカ的な省スペース化が可能となる。そして、撮影情報の表示位置を所望の位置へ移動できるようにしているので、撮影シーンにより撮影情報の表示位置を変えたい場合には、撮影情報の表示位置を所望の位置に撮影者が決めることができるようになった。
【００７８】
つまり、画面内における被写体像から目を離すこと無く、撮影情報を確認させることができると共に、使用者の意思により見易い位置に撮影情報の表示を移動させることができる一眼レフカメラとすることができる。
【実施例２】
【００７９】
次に、上記実施例１における図５のフローチャートに対応する、図１０のフローチャートを用いて、本発明の実施例２に係わる一眼レフカメラの主要部分の動作について説明する。なお、図５と同じく動作を行う部分は同一のステップ番号を付し、その説明は省略する。また、一眼レフカメラの構成は図１〜図４と同様であるものとする。
【００８０】
図１０のステップＳ１０１〜Ｓ１０８の動作は、図５のステップＳ１０１〜Ｓ１０８と同様である。ステップＳ１０８にて、情報表示領域３１１〜３１７に撮影情報表示を行った後はステップＳ２１０へ進み、システム制御回路１２０は、撮影情報表示移動タイマの計時を開始する。そして、次のステップＳ２１１にて、システム制御回路１２０は、焦点検出位置選択スイッチ２９の機能切り換えを行う。次のステップＳ２１２にて撮影情報表示移動タイマが終了しているか否かを判定し、終了していなければステップＳ２１３へ進み、焦点検出位置選択スイッチ２９の確認を行う。該焦点検出位置選択スイッチ２９がＯＮされていなければ、再度ステップＳ２１２に戻る。
【００８１】
一方、焦点検出位置選択スイッチ２９がＯＮされていればステップ２１３からステップＳ２１４へ進み、システム制御回路１２０は、情報表示領域３１１〜３１７での撮影情報表示を移動させる。そして、次のステップＳ２１５にて、引き続き焦点検出位置選択スイッチ２９がＯＦＦされているか否かを判定し、ＯＮされていれば再度ステップＳ２１４に戻って、撮影情報表示の移動を継続する。また、焦点検出位置選択スイッチ２９がＯＮされていなければステップＳ２１２へ戻る。
【００８２】
上記ステップＳ２１２にて、撮影情報表示移動タイマが終了していればステップＳ２１６へ進み、システム制御回路１２０は、スイッチＳＷ２がＯＮされているか否かを判定し、ＯＮされていればステップＳ１１５へ進み、図６にて詳述した露光動作を開始する。一方、スイッチＳＷ２がＯＮされていなければステップＳ２１７へ進み、スイッチＳＷ１がＯＮされたままであるか否かを判定し、ＯＦＦされていればステップＳ１０２に戻る。また、スイッチＳＷ１がＯＮされたままであればステップＳ１０３に戻り、以降、同様の動作を繰り返す。
【００８３】
上記の実施例２によれば、上記実施例１と同様、撮像画面に対応する画面内に被写体像を視認可能に表示するピント板７および情報表示部２２を有する。そして、この情報表示部２２は、複数の焦点検出位置のうちの合焦となった位置を示す焦点検出部３０１〜３０７を、被写体像に重ねて表示可能にしている。さらには、合焦となった前記焦点検出位置での撮影に関連する撮影情報を示す情報表示領域３１１〜３１７を、被写体像に重ねて表示可能にしている。
【００８４】
上記構成において、撮影情報表示位置の移動操作が行われたとする。すると、合焦となった前記焦点検出位置の近傍の規定位置の前記情報表示領域３１１〜３１７に表示されている撮影情報を、表示位置移動操作された方向に移動させるようにしている。詳しくは、撮影情報表示位置の移動操作を行うための第１機能ボタン４２、第１操作部材４３を有し、これら操作部材による撮影情報の表示移動操作は、撮影情報表示移動タイマが作動している間、行えるようにしている。
【００８５】
したがって、画面内における被写体像から目を離すこと無く、撮影情報を確認させることができると共に、使用者の意思により見易い位置に撮影情報の表示を移動させることができる一眼レフカメラとすることができる。
【実施例３】
【００８６】
次に、上記実施例２における図１０のフローチャートに対応する、図１１のフローチャートを用いて、本発明の実施例３に係わる一眼レフカメラの主要部分の動作について説明する。なお、図１０と同じく動作を行う部分は同一のステップ番号を付し、その説明は省略する。また、一眼レフカメラの構成は図１〜図４と同様であるものとする。
【００８７】
図１１のステップＳ１０１〜Ｓ１０８の動作は、図１０のステップＳ１０１〜Ｓ１０８と同様である。ステップＳ１０８にて、情報表示領域３１１〜３１７に撮影情報表示を行った後はステップＳ３１０へ進み、システム制御回路１２０は、情報表示移動用スイッチの確認を行う。この結果、情報表示移動用スイッチがＯＮされていなければスイッチＳＷ２の状態確認を行うステップＳ２１６へ進む。一方、情報表示移動用スイッチがＯＮされていれば、図１０にて説明したステップＳ２１０以降の動作へと進む。
【００８８】
ここで、情報表示移動用スイッチは、図２及び図３で説明した第２機能ボタン４５が図７に示す複数の焦点検出部３０１〜３０７のうち、焦点検出を行い、合焦した後に第２機能ボタン４５をＯＮした状態を示すものである。この第２機能ボタン４５が、撮影情報を表示する情報表示領域３１１〜３１７を移動させるモードに切り換える情報表示移動用スイッチを兼ねている。この第２機能ボタン４５をＯＮした後に、第１操作部材４３を操作することにより、撮影情報を表示する情報表示領域３１１〜３１７を移動することができる。
【００８９】
図１０では、撮影情報表示位置の移動操作を行うための第１機能ボタン４２、第１操作部材４３を有し、これら操作部材による撮影情報の表示移動操作は、合焦後の撮影情報表示移動タイマが作動している間に行えるようにしている。しかし、図１１では、合焦後に第２機能ボタン４５をＯＮすることで撮影情報表示移動タイマが更新されるので、固定的なタイマによらず第１操作部材４３を操作することにより、撮影情報を表示する情報表示領域３１１〜３１７を移動できるようにした点が異なる。
【００９０】
上記の実施例３によれば、上記実施例１および２と同様、撮像画面に対応する画面内に被写体像を視認可能に表示するピント板７および情報表示部２２を有する。そして、この情報表示部２２は、複数の焦点検出位置のうちの合焦となった位置を示す焦点検出部３０１〜３０７を、被写体像に重ねて表示可能にしている。さらには、合焦となった前記焦点検出位置での撮影に関連する撮影情報を示す撮影情報表示部３１１〜３１７を、被写体像に重ねて表示可能にしている。
【００９１】
上記構成において、撮影情報表示位置の移動操作が行われたとする。すると、合焦となった前記焦点検出位置の近傍の規定位置の前記撮影情報表示部３１１〜３１７に表示されている撮影情報を、表示位置移動操作された方向に移動させるようにしている。詳しくは、撮影情報表示位置の移動操作を行うための情報表示移動用スイッチを有し、撮影情報の表示移動操作は、該情報表示移動用スイッチの操作により行えるようにしている。
【００９２】
したがって、画面内における被写体像から目を離すこと無く、撮影情報を確認させることができると共に、使用者の意思により見易い位置に撮影情報の表示を移動させることができる一眼レフカメラとすることができる。
【実施例４】
【００９３】
次に、図１２及び図１３を用いて、本発明の実施例４に係わる一眼レフカメラについて説明する。図１２は本発明の実施例４に係る一眼レフカメラの要部を示す光学配置図であり、図１３は本発明の実施例４に係わる一眼レフカメラの電気的構成を示す図である。なお、図１２および図１３において、図１および図４と同じ部分は同一の符号を付し、その説明は省略する。
【００９４】
図１２において、図７に示したファインダ観察画面３００内に表示される複数の焦点検出部３０１〜３０７は、画像表示部２３に形成されている。この画像表示部２３はＴＦＴなどの液晶が用いられ、撮像素子５からの被写体像の表示と表示駆動部２５により撮影情報表示を同時に行えるようになっている。
【００９５】
８１はファインダ光路変更用の反射ミラーである。撮像素子５からの画像情報と焦点検出部３０１〜３０７や撮影情報などは後述の情報表示部２３や画像表示部１１６に合成して表示されるようになっている。そして、反射ミラー８１、接眼レンズ１１を介して撮影者の目１５により観察できるようになっている。
【００９６】
図１３において、画像表示部２３は、画像表示部１１６と同様、ＴＦＴ  ＬＣＤ等から成る。そして、この画像表示部２３は、従来の光学ファインダ１６内の液晶モニターを用いた内部電子ビューファインダ用として用いられる。画像表示部１１６は、上記実施例１および２と同様、図３に示したように外部液晶モニターを用いた外部電子ビューファインダ用として用いられている。画像表示メモリ１１４には画像データから表示用の画像データが書き込まれて、記録媒体８０に画像データを記録された後に、メモリ制御回路１１３とＤ／Ａ変換器１１５を介して画像表示部２３もしくは画像表示部１１６により表示される。
【００９７】
また、クイックレビューＯＮ／ＯＦＦスイッチ５４によりライブビューモードが選択されているとする。この場合は、画像表示メモリ１１４に一旦蓄えられた画像データが順次Ｄ／Ａ変換器１１５を介して内部の画像表示部２３もしくは外部の画像表示部１１６に連続表示させることにより、動画像を得られるようにしている。
【００９８】
また、ライブビューＯＮ／ＯＦＦスイッチ５５により、撮影画像データを画像表示部２３もしくは画像表示部１１６に連続表示させることができる。これにより、画像データをファインダ画像のようにするライブビュー機能を設定可能となる。また、機能切換制御部５６により所定の条件となった場合には、画像表示部２３もしくは画像表示部１１６に表示された撮影情報を、操作部５７の操作により移動させることができるようになる。
【００９９】
その他の構成や動作は実施例１と同様である。
【０１００】
上記の実施例４によれば、撮像画面に対応する画面内に被写体像を視認可能に表示する画像表示部２３を有する。そして、この画像表示部２３は、複数の焦点検出位置のうちの合焦となった位置を示す焦点検出部３０１〜３０７を、被写体像に重ねて表示可能にしている。さらには、合焦となった前記焦点検出位置での撮影に関連する撮影情報を示す情報表示領域３１１〜３１７を、被写体像に重ねて表示可能にしている。
【０１０１】
上記構成において、撮影情報表示位置の移動操作が行われたとする。すると、合焦となった前記焦点検出位置の近傍の規定位置の前記情報表示領域３１１〜３１７に表示されている撮影情報を、表示位置移動操作された方向に移動させるようにしている。詳しくは、撮影情報表示位置の移動操作を行うための第１機能ボタン４２、第１操作部材４３を有する。これら操作部材による撮影情報の表示移動操作は、撮影準備動作開始用のスイッチ部材であるスイッチＳＷ１が投入（ＯＮ）された状態が保持されている間、または撮影情報表示移動タイマが作動している間、行えるようにしている。
【０１０２】
したがって、画面内における被写体像から目を離すこと無く、撮影情報を確認させることができると共に、使用者の意思により見易い位置に撮影情報の表示を移動させることができる一眼レフカメラとすることができる。
【０１０３】
（本発明と実施例の対応）
ピント板７と情報表示部２２、または画像表示部２３が本発明の表示手段に相当し、焦点検出部３０１〜３０７が本発明の焦点検出位置表示部に相当し、情報表示領域３１１〜３１７が本発明の規定位置の情報表示部に相当する。また、システム制御部１２０、表示駆動部２５が本発明の表示位置制御手段に相当し、第１機能ボタン４２と第１操作部材４３、または情報表示移動用スイッチが本発明の移動操作部材に相当する。また、図１２の画像表示部２３が本発明の光学ファインダ内の電子ビューファインダに相当する。
【図面の簡単な説明】
【０１０４】
【図１】本発明の実施例１に係わる一眼レフカメラの要部を示す光学配置図である。
【図２】本発明の実施例１に係わる一眼レフカメラを示す上面図である。
【図３】本発明の実施例１に係わる一眼レフカメラを示す背面図である。
【図４】本発明の実施例１に係わる一眼レフカメラの電気的構成を示すブロック図である。
【図５】本発明の実施例１に係わる一眼レフカメラの主要部分の動作を示すフローチャートである。
【図６】本発明の実施例１に係わる一眼レフカメラの露光動作を示すフローチャートである。
【図７】本発明の実施例１に係わる一眼レフカメラのファインダ観察画面内での焦点検出部および情報表示領域を示す図である。
【図８】本発明の実施例１に係わる一眼レフカメラのファインダ観察画面内での合焦した焦点検出部および撮影情報が表示される情報表示領域を示す図である。
【図９】本発明の実施例１に係わる一眼レフカメラのファインダ観察画面内において撮影情報の表示位置を移動させる例を示す図である。
【図１０】本発明の実施例２に係わる一眼レフカメラの主要部分の動作を示すフローチャートである。
【図１１】本発明の実施例３に係わる一眼レフカメラの主要部分の動作を示すフローチャートである。
【図１２】本発明の実施例４に係わる一眼レフカメラの要部を示す光学配置図である。
【図１３】本発明の実施例４に係わる一眼レフカメラの電気的構成を示すブロック図である。
【符号の説明】
【０１０５】
５              撮像素子
７              ピント板
１６            光学ファインダ
２２            情報表示部
２３            画像表示部
２５            表示駆動部
４１，１１６    画像表示部
４２            第１機能ボタン
４３            第１操作部材
４４            第２操作部材
４５            第２機能ボタン
５０            シャッタボタン
５１            撮影準備動作開始用のスイッチ（ＳＷ１）
１２２          表示制御部
１２０          システム制御回路
３０１〜３０７  焦点検出部
３１１〜３１７  情報表示領域
【図１】
2009239651.tif 000003
【図２】
2009239651.tif 000004
【図３】
2009239651.tif 000005
【図４】
2009239651.tif 000006
【図５】
2009239651.tif 000007
【図６】
2009239651.tif 000008
【図７】
2009239651.tif 000009
【図８】
2009239651.tif 000010
【図９】
2009239651.tif 000011
【図１０】
2009239651.tif 000012
【図１１】
2009239651.tif 000013
【図１２】
2009239651.tif 000014
【図１３】
2009239651.tif 000015